(57)【要約】【課題】座板に室外側に向かう大きな力が作用した場合でも巻き込みを防止できると共に、外側の見栄えが良いシャッターとする。【解決手段】シャッターカーテン３の最下部のスラット３ａに連結した座板４に、ストッパー３０の取付部３０ａを、そのストッパー部３０ｂが室内側に向かうように取り付けてストッパー３０が室外から見えないようにすると共に、このストッパー部３０ｂが上枠１０に接して座板４の巻き込みを防止するようにし、前記ストッパー部３０ｂがガイドレール２の内縦片２１の室内側面２１ａに当接して座板４に作用する室外側に向かう力をガイドレール２の内縦片２１と外縦片２０で支持できるようにして座板４に室外側に向かう大きな力が作用した場合でもストッパー部３０ｂが上枠１０に当接して座板４の巻き込みを防止できるようにする。【選択図】図４
2011106152.tif 000002
【特許請求の範囲】
【請求項１】
枠体に設けたガイドレールの外縦片と内縦片に沿って上下動自在なシャッターカーテンを、巻き上げ、繰り出して枠体の開口部を開閉するシャッターであって、
前記シャッターカーテンは複数のスラット同士を上下に連結させ、最下部のスラットに連結した座板に、取付部とストッパー部を有した巻き込み防止用のストッパーを、そのストッパー部が室内側に向かうように取り付け、
前記シャッターカーテンの巻き上げ時に、前記ストッパー部が前記枠体の上枠に当接して前記座板のそれ以上の巻き上げを防止するようにし、
前記ストッパー部を、前記ガイドレールの内縦片の室内側面と室内外方向に対向させたことを特徴とするシャッター。
【請求項２】
前記座板は、最下部のスラットに連結した縦向部と、この縦向部よりも室内側に向かい前記枠体の下枠と対向した横向部を有し、
前記ストッパーの取付部が前記座板の縦向部に取り付けられ、前記ストッパー部が前記座板の横向部に室内外側方向に動かないように連結されている請求項１記載のシャッター。
【請求項３】
前記横向部の長手方向両端部に、前記ガイドレールの内縦片が入り込む切欠部を形成し、
前記ストッパーは座板の長手方向両端部にそれぞれ取り付け、その各ストッパー部には前記ガイドレールの内縦片が入り込む切欠部をそれぞれ形成し、
前記各ストッパーの下面に、前記横向部の切欠部よりも室内側寄りの張り出し部分が嵌まり合う凹部をそれぞれ形成して各ストッパー部と横向部を室内外側方向に動かないようにそれぞれ連結した請求項２記載のシャッター。
【発明の詳細な説明】
【技術分野】
【０００１】
本発明は、シャッターカーテンを巻き上げ、繰り下げすることで開口部を開閉するシャッターに関する。
【背景技術】
【０００２】
従来のシャッターとしては、枠体に設けたガイドレールに沿ってシャッターカーテンを上下動自在とすると共に、その枠体の上方に設けた巻取軸でシャッターカーテンを巻き上げ、繰り下げて枠体の開口部を開閉するようにしたシャッターが知られている。
前述したシャッターにおいては、シャッターカーテンを巻き上げるときに、巻き上げ過ぎてシャッターカーテンがガイドレールから外れること、つまり巻取軸がシャッターカーテンを巻き込んでしまうこと、がある。
前述したシャッターカーテンを巻き上げるときの巻き込み防止は、シャッターカーテンの最下部のスラットに連結した座板で直接行うのが一般的であるが、その座板で巻き込みを防止できないことがある。
このように、座板で巻き込みを防止できないシャッターの場合には、特許文献１に開示されたように、座板にストッパーを取り付け、このストッパーで巻き込みを防止するようにしている。
【先行技術文献】
【特許文献】
【０００３】
【特許文献１】実公平６−５５１０号公報
【発明の概要】
【発明が解決しようとする課題】
【０００４】
前述した従来のシャッターは、座板の室外側面にストッパーが取り付けてあるので、そのストッパーが室外から見えてしまい、外観の見栄えが悪いシャッターである。
そこで、本出願人は、シャッタースラットを巻き上げるときの巻き込みを防止できると共に、外観の見栄えが良いシャッターとするために、ストッパーを座板の室内側面よりも室内側に張り出して取り付け、このストッパーを前記枠体の上枠に当接することで巻き込みを防止することを提案した。
しかしながら、前述のようにしたシャッターであると、シャッターカーテンを衝撃的に開けた際（つまり、衝撃的にシャッターを巻き上げた際）などには、座板（シャッタースラット）に室外側に向かう大きな力が作用し、ガイドレールの室外側の外ヒレが室外側に向けて変形し、その外ヒレの変形代だけ座板が室外側に向けて動き、ストッパーが上枠に当接しなくなり、座板を巻き込むことがあるので、巻き込みを防止できないことがある。
【０００５】
本発明の目的は、シャッタースラットを巻き上げるときの巻き込みを防止できると共に、外観の見栄えが良く、しかも座板に室外側に向かう大きな力が作用した場合でも巻き込みを確実に防止できるようにしたシャッターとすることである。
【課題を解決するための手段】
【０００６】
本発明は、枠体に設けたガイドレールの外縦片と内縦片に沿って上下動自在なシャッターカーテンを、巻き上げ、繰り出して枠体の開口部を開閉するシャッターであって、
前記シャッターカーテンは複数のスラット同士を上下に連結させ、最下部のスラットに連結した座板に、取付部とストッパー部を有した巻き込み防止用のストッパーを、そのストッパー部が室内側に向かうように取り付け、
前記シャッターカーテンの巻き上げ時に、前記ストッパー部が前記枠体の上枠に当接して前記座板のそれ以上の巻上げを防止するようにし、
前記ストッパー部を、前記ガイドレールの内縦片の室内側面と室内外方向に対向させたことを特徴とするシャッターである。
【０００７】
本発明においては、前記座板は、最下部のスラットに連結した縦向部と、この縦向部よりも室内側に向かい前記枠体の下枠と対向した横向部を有し、
前記ストッパーの取付部が前記座板の縦向部に取り付けられ、前記ストッパー部が前記座板の横向部に室内外側方向に動かないように連結されているシャッターとすることができる。
このようにすれば、ストッパー部に作用する室内外側方向の力が座板の横向部で支持されるので、ストッパー部がガイドレールの内縦片に強い力で押しつけられてもストッパー部が破損することがない。
【０００８】
本発明においては、前記横向部の長手方向両端部に、前記ガイドレールの内縦片が入り込む切欠部を形成し、
前記ストッパーは座板の長手方向両端部にそれぞれ取り付け、その各ストッパー部には前記ガイドレールの内縦片が入り込む切欠部をそれぞれ形成し、
前記各ストッパーの下面に、前記横向部の切欠部よりも室内側寄りの張り出し部分が嵌まり合う凹部をそれぞれ形成して各ストッパー部と横向部を室内外側方向に動かないようにそれぞれ連結したシャッターとすることができる。
このようにすれば、ストッパー部の切欠部よりも室内側寄りの張り出し部分がガイドレールの内縦片の室内側面に当接すると共に、その室内側寄りの張り出し部分と座板の横向部が室内外側方向に動かないように連結されているので、ストッパー部がガイドレールの内縦片の室内側面に強い力で押しつけられても破損することがない。
【発明の効果】
【０００９】
本発明によれば、ストッパーのストッパー部が上枠に当接することで、シャッタースラットを巻き上げるときに巻き込みを防止できると共に、そのストッパーがシャッタースラットの室外から見えないので外観の見栄えが良い。
しかも、ストッパーのストッパー部はガイドレールの内縦片の室内側面に当接し、座板に作用する室外側に向かう力をガイドレールの内縦片でも支持するので、座板に室外側に向かう大きな力が作用してもガイドレールの外縦片が大きく変形することがなく、座板が室外側に向けて大きく動き、ストッパー部が上枠よりも室外側寄りとなることがない。
したがって、座板に室外側に向かう大きな力が作用した場合でも巻き込みを確実に防止できる。
【図面の簡単な説明】
【００１０】
【図１】シャッターの概略外観図である。
【図２】シャッターの縦断面図である。
【図３】シャッターの横断面図である。
【図４】ストッパー取付部分の一部を破断した拡大平面図である。
【図５】座板の平面図である。
【図６】座板の側面図である。
【図７】ストッパーを取り付けた座板の端部斜視図である。
【発明を実施するための形態】
【００１１】
図１に示すように、枠体１に設けた左右のガイドレール２に沿ってシャッターカーテン３が上下動自在に支承され、このシャッターカーテン３は複数のスラット同士を上下に連結させてなり、最下部のスラット３ａに座板４が連結してある。
前記枠体１の上部にはケース５が設けてある。このケース５内に巻取軸６を設けて巻取手段としてある。
前記巻取軸６にシャッターカーテン３の最上部のスラット３ｂが連結してある。
そして、前記巻取軸６を正逆回転することで、シャッターカーテン３を巻き上げ、繰り下げして枠体１の開口部を開閉する。
【００１２】
前記枠体１は図２と図３に示すように、上枠１０と下枠１１と左右の縦枠１２を方形状に連結してある。
この枠体１内に障子（図示せず）を開閉自在に建て込んで窓、例えば上げ下げ窓としてある。
【００１３】
前記ガイドレール２は、室外側の外縦片（外ヒレ）２０と室内側の内縦片（内ヒレ）２１を有し、この外縦片２０と内縦片２１との間にシャッターカーテン３の長手方向両端部が上下動自在に挿入してある。
そして、シャッターカーテン３に室外側に向かう力が作用すると外縦片２０に押しつけられる。
前記ガイドレール２は、外縦片２０と内縦片２１と連結片２２で断面ほぼコ字形状で、内向き凹部２３を有している。
そして、前記縦枠１２の室外側部にガイドレール２が取り付けてある。
これに限ることはなく、縦枠１２とガイドレール２を一体としても良い。
【００１４】
前記座板４の長手方向両端部に、巻き込み防止用のストッパー３０がそれぞれ取り付けてある。
このストッパー３０は取付部３０ａとストッパー部３０ｂを備え、そのストッパー部３０ｂは室内側に向かい、シャッターを室外から見たときにストッパー３０が見えないようにしてある。
そして、シャッターカーテン３を巻き上げて開口部を開放したときに、図２に実線で示すようにストッパー３０のストッパー部３０ｂが前記上枠１０に当接し、座板４の巻き込みを防止する。シャッターカーテン３を繰り下げて開口部を閉じたときに、図２に仮想線で示すように座板４が下枠１１に接する。
【００１５】
図４に示すように、前記ストッパー３０のストッパー部３０ｂはガイドレール２の内縦片２１の室内側面２１ａと室内外方向に対向している。
これによって、座板４に室外側に向かう力が作用したときには、ガイドレール２の外縦片２０に後述する座板４の縦向部が当接し、内縦片２１にストッパー部３０ｂが当接し、前述の力による外縦片２０と内縦片２１の室外側に向かう変形代が小さく、座板４に室外側に向かう大きな力が作用した場合でも座板４の室外側に向かう動き代が小さく、ストッパー部３０ｂが上枠１０に当接するので、座板４の巻き込みを確実に防止できる。
【００１６】
前述のストッパー３０の取付部分の詳細を図４〜図７に基づいて説明する。
前記座板４は、図５、図６に示すように、縦向部４０と、この縦向部４０の室内側面４０ａの下部に設けた横向部４１と、縦向部４０の室外側面４０ｂの下部に設けた下向部４２を備えている。
前記横向部４１の長手方向両端部の縦向部４０寄り部分がそれぞれ切欠きされて長手方向端面に開口した切欠部４３を有し、長手方向端部は鉤形になっている。
前記下向部４２の長手方向両端部が切断して除去され、その長手方向端面４２ａは縦向部４０の長手方向端面４０ｃよりも長手方向中央寄りである。つまり、縦向部４０が下向部４２よりも長い。
これによって、図４と図５に示すように縦向部４０の長手方向両端部がガイドレール２の外縦片２０と内縦片２１との間（内向き凹部２３）内に入り込むと共に、切欠部４３に内縦片２１が入り込み、横向部４１の長手方向端部における切欠部４３よりも室内側寄りの張り出し部分４１ａがガイドレール２の内縦片２１の室内側面２１ａと室内外方向に対向して室内外方向に重なり合う。
【００１７】
前記縦向部４０は中空部４４を有すると共に、連結用のフック４５を有し、その中空部４４を形成する室内側縦片４４ａの長手方向両端寄りには係止用の穴４６を有している。そして最下部のスラット３ａにフック４５を連結してスラット３ａに座板４を連結してある。
前記横向部４１は水平方向に向かう直線状の板状である。
前記下向部４２は下向き鉤形の断面形状の板状である。
【００１８】
前記ストッパー３０の取付部３０ａは、第１プレート３１と、この第１プレート３１に設けた第２プレート３２で平面形状がほぼ鉤形状で、その第１プレート３１は座板４の縦向部４０の長手方向端面４０ｃに接して中空部４４を閉塞する大きさ、形状である。
前記第１プレート３１には突起３３が第２プレート３２と平行に設けてあると共に、この突起３３の先端部に係止爪３４が設けてある。
前記第２プレート３２は座板４の縦向部４０の室内側面４０ａに接する板状で、開口部３５を有してる。
【００１９】
前記ストッパー３０のストッパー部３０ｂは板状で、前記取付部３０ａの第２プレート３２の室内側面の下部に室内側に向けて一体に設けてある。
このストッパー部３０ｂの長手方向端面３０ｃは、取付部３０ａの第１プレート３１よりも長手方向中央寄りで、このストッパー部３０ｂの長手方向端部寄りで、かつ第２プレート３２寄りが長手方向端面３０ｃまで切欠きされて切欠部３６を有している。
前記ストッパー部３０ｂの下面には、前記座板４の横向部４１における前記切欠部４３よりも室内側寄りの張り出し部分４１ａに嵌まり合う凹部３７を有している。
例えば、前記切欠部３６に沿った鉤形の下向片３８と、室内側端面３０ｄに沿った下向片３９との間に凹部３７を有し、その下向片３８が横向部４１の切欠部４３の鉤形の端面に接すると共に、下向片３９が横向部４１の室内側端面４１ｂに接する。
【００２０】
前記ストッパー３０は座板４の長手方向端部に次のようにして取り付けられる。
前記ストッパー３０を座板４の長手方向に移動し、その突起３３を座板４の中空部４４内に嵌合することで、第２プレート３２が縦向部４０の室内側面４０ａに接すると共に、係止爪３４が係止用の穴４６に係合して第１プレート３１が縦向部４０の長手方向端面４０ｃに接する。
これとともに、ストッパー部３０ｂが横向部４１の上面に重なり合い、凹部３７と横向部４１が嵌まり合う。
【００２１】
このようであるから、ストッパー３０を座板４の長手方向端部に簡単に取り付けできる。
前記ストッパー３０を取り外すときには、開口部３５から工具を挿入して係止爪３４を穴４６から離脱し、突起３３を長手方向に引き抜いて取り外しする。
【００２２】
前述のようにストッパー３０を座板４の長手方向端部に取り付けることで、その取付部３０ａの第１プレート３１がガイドレール２の外縦片２０と内縦片２１との間に入り込むと共に、ストッパー部３０ｂの切欠部３６にガイドレール２の内縦片２１が入り込み、その内縦片２１の室内側面２１ａと後述する張り出し部分３０ｅが室内外方向に対向する。
これによって、ストッパー部３０ｂの切欠部３６よりも室内側寄りの張り出し部分３０ｅを介して座板４に作用する室外側に向かう力をガイドレール２の内縦片２１で支持することができる。
【００２３】
また、ストッパー部３０ｂの下面に形成した凹部３７と横向部４１が嵌まり合い、その横向部４１の切欠部４３よりも室内側寄りの張り出し部分４１ａの室内側面と室外側面が凹部３７に接し、座板４の横向部４１とストッパー３０のストッパー部３０ｂが室内外側方向に動かないように連結されるので、ストッパー部３０ｂに作用する室内外側方向の力を横向部４１で支持し、そのストッパー部３０ｂがガイドレール２の内縦片２１に強い力で押しつけられてもストッパー部３０ｂが破損することがない。
【００２４】
すなわち、ストッパー部３０ｂがガイドレール２の内縦片２１に押しつけられたときに、その力をストッパー部３０ｂのみで支持すると、強い力で押しつけられたときにストッパー部３０ｂの強度が不足して破損する恐れがあるので、前述のようにストッパー部３０ｂの凹部３７と横向部４１を嵌め合うことにより両者を室内外側方向に動かないように連結し、ストッパー部３０ｂに作用する室内外側方向に向かう力を横向部４１で支持している。
なお、ストッパー部３０ｂに下向きの突部を形成し、この突部を横向部４１に形成した穴に嵌合して両者を室内側方向に動かないように連結しても良い。
【００２５】
図４、図７に示すように、前記ストッパー部３０ｂの上面には緩衝材５０が設けてあり、この緩衝材５０が上枠１０に当接するようにしてある。
【符号の説明】
【００２６】
１…枠体、２…ガイドレール、３…シャッターカーテン、４…座板、１０…上枠、２０…外縦片、２１…内縦片、２１ａ…室内側面、２３…内向き凹部、３０…ストッパー、３０ａ…取付部、３０ｂ…ストッパー部、３１…第１プレート、３２…第２プレート、３６…切欠部、３７…凹部、４０…縦向部、４１…横向部、４１ａ…室内側寄りの張り出し部分、４３…切欠部。
【図１】
2011106152.tif 000003
【図２】
2011106152.tif 000004
【図３】
2011106152.tif 000005
【図４】
2011106152.tif 000006
【図５】
2011106152.tif 000007
【図６】
2011106152.tif 000008
【図７】
2011106152.tif 000009